(57)【特許請求の範囲】
【請求項１】
外装面を構成する外装材にて形成される凸状部に固定する取付部材であって、凸状部の上方及び左右の何れか一方に配する上方部材と、該上方部材と回動自在に枢着されて凸状部の他方に配される下方部材と、該下方部材に設けた収容部に頭部を保持されて前記上方部材の上面部を貫通する取付ボルトと、該取付ボルトの先端に螺合される締着ナットと、からなり、
回動自在に枢着した上方部材と下方部材で凸状部を左右から挟んで略水平状に臨む底面部を形成し、該底面部には下方へ鉛直状に延在する脚部が設けられ、該脚部の下端が外装面との接地部であり、
前記底面部に設けた脚部の下端である接地部を外装面に線接触状に接地させ、取付ボルトに締着ナットを取り付けて締め付けることにより、前記下方部材の前記収容部が前記上方部材の前記上面部の裏面に重合され、前記底面部と外装面との間に空間を形成すると共に前記底面部の内側端が凸状部に挟着することを特徴とする取付部材。
【請求項２】
外装面を構成する外装材にて形成される凸状部に、請求項１に記載の取付部材を固定し、該取付部材に直接的に外設部材を、或いは支持材を介して間接的に外設部材を取り付けたことを特徴とする外設部材の取付構造。
【発明の詳細な説明】
【技術分野】
【０００１】
本発明は、新設、既設を問わず建築物の屋根等の外装面に施工される多種の縦葺き（縦張り）外装構造に適用でき、外装面を構成する外装材にて形成される突状部に安定に、且つサビの原因となる面状接触を生ずることなく取り付けることができ、太陽電池モジュール等の各種外設部材を取り付けることができる取付部材、及び外設部材の取付構造に関する。
【背景技術】
【０００２】
ハゼ締め式の折板屋根等に太陽電池パネルや緑化屋根パネル等の外設部材を取り付けることができる取付部材としては、例えば特許文献１に記載される提案（建築用取付具）がなされている。この特許文献１における取付具では、脚部２の下端に直角状に折曲された座板片２１が、建築用板９の頂面９３に載置されるように配設されるため、安定に建築用板９に取り付けられる。
【０００３】
一方、既存屋根上に新たに外装構造を構築する場合、既存屋根に取付具や支持材などを配して新たな基礎を構築し、その基礎に新設外装構造を設置する構造が採用され、取付具や支持材は、ボルトによる締着によって既存屋根上に組み付けられている（例えば特許文献２〜４など）。
特許文献２には、本体Ａを形成する左右一対の支持半体部１，１を接合具Ｂにて一体化した外囲体用取付具が提案されている。
特許文献３には、左右一対の掴み具２２Ｌ，２２Ｒにてハゼ部２を、ボルト２３にて挟持するが、ナット２４ｂが固着された板状体（挟持材２４）に、スリット２４ａ，２４ａが設けられ、該スリット２４ａ，２４ａに前記掴み具２２Ｌ，２２Ｒを挿入した取付金具が提案されている。
【先行技術文献】
【特許文献】
【０００４】
【特許文献１】特開２０１３−１２２１５５号公報
【特許文献２】特開２００７−２９７８６０号公報
【特許文献３】特開２０１１−１２７３３０号公報
【発明の概要】
【発明が解決しようとする課題】
【０００５】
しかしながら、前記特許文献１の取付具では、金属同士の面状接触がなされる構造であって、外装材を形成する金属板材の変形等によっては決して安定な配設が行われないものであった。また、この面状接触により、仮に当初は金属板の表面に防錆塗装等の処理が行われていても、経年の摩擦等により前記表面処理が剥がされてしまうため、サビが発生するなど、腐食の原因となっていた。さらに、面状接触を生ずることは、近接した金属板同士の間に雨水（水分）を保持し易いため、さびや腐食などが進行し易いものであった。
【０００６】
一方、前記特許文献２には、本体Ａの下方に設けられた略水平状の座板部１６を、外囲体Ｃに載置状に取り付ける構成であって、前記特許文献１と同様に面状接触させるものであった。
さらに、前記特許文献３には、ナット２４ｂが固着された板状材が安定に固定されていないので、該ナット２４ｂに取り付ける、太陽電池パネルＰの外周フレームＰｆを押さえる部材（パネル上面保持板２６）を固定する固定ボルト２１も、安定に取り付けられるとは言えないものであった。
【０００７】
そこで、本発明は、新設、既設を問わず建築物の屋根等の外装面に施工される多種の縦葺き（縦張り）外装構造に適用でき、外装面を構成する外装材にて形成される突状部に安定に、且つサビの原因となる面状接触を生ずることなく取り付けることができ、太陽電池モジュール等の各種外設部材を取り付けることができる取付部材、及び外設部材の取付構造を提案することを目的とする。
【課題を解決するための手段】
【０００８】
本発明は、上記に鑑み提案されたものであって、外装面を構成する外装材にて形成される凸状部に固定する取付部材であって、凸状部の上方及び左右の何れか一方に配する上方部材と、該上方部材と回動自在に枢着されて凸状部の他方に配される下方部材と、該下方部材に設けた収容部に頭部を保持されて前記上方部材の上面部を貫通する取付ボルトと、該取付ボルトの先端に螺合される締着ナットと、からなり、回動自在に枢着した上方部材と下方部材で凸状部を左右から挟んで略水平状に臨む底面部を形成し、該底面部には下方へ鉛直状に延在する脚部が設けられ、該脚部の下端が外装面との接地部であり、前記底面部に設けた脚部の下端である接地部を外装面に線接触状に接地させ、取付ボルトに締着ナットを取り付けて締め付けることで、前記下方部材の前記収容部が前記上方部材の前記上面部の裏面に重合され、前記底面部と外装面との間に空間を形成すると共に前記底面部の内側端が凸状部に挟着することを特徴とする取付部材に関するものである。
なお、この本発明における「線接触状」とは、例えば硬質材料の鋭利な先端が外装面に接触している状態ではなく、しかも前述の特許文献１のような広幅の面接触でもなく、細幅（＝数ｍｍ以下）の面接触状とも太幅（＝約１ｍｍ以上）の線接触状とも言えるものである。
【００１０】
さらに、本発明は、外装面を構成する外装材にて形成される凸状部に、前記構成の取付部材を固定し、該取付部材に直接的に外設部材を、或いは支持材を介して間接的に外設部材を取り付けたことを特徴とする外設部材の取付構造をも提案するものである。
【発明の効果】
【００１１】
本発明の取付部材は、外装面に載置される底面部に設けた脚部の下端である接地部を外装面に線接触状に接地させるため、仮に外装材を形成する金属板材の変形等が生じても確実且つ安定な配設が行われるものとなる。しかも上方部材と下方部材とを、下方部材の収容部に頭部が保持された取付ボルトの先端に螺合される締着ナットを締め付けて一体化する構成であるから、締着ナットの締め付けにて、取付ボルトが上方へ引っ張り上げられ、それに伴って下方部材も引っ張り上げられるように挙動し、少なくとも下方への応力は殆ど生じない。そのため、接地部と外装面との線接触状により、経年の摩擦や締め付け作業における締め付け等により、外装材を形成する金属板表面の防錆塗装等の処理が剥がされることがなく、サビや腐食の原因となることがない。さらに、接地部により底面部と外装面との間に空間が形成されるため、雨水を保持することもない。
具体的には、凸状部の上方及び左右の何れか一方に配する上方部材と、該上方部材と回動自在に枢着されて凸状部の他方に配される下方部材と、該下方部材に取り付けられて前記上方部材を貫通する取付ボルトと、該取付ボルトの先端に螺合される締着ナットと、からなり、回動自在に枢着した上方部材と下方部材で凸状部を左右から挟んで略水平状に臨む底面部を形成し、該底面部には下方へ鉛直状に延在する脚部が設けられ、該脚部の下端が外装面との接地部であり、前記底面部に設けた脚部の下端である接地部を外装面に線接触状に接地させ、取付ボルトに締着ナットを取り付けて締め付けることで、前記下方部材の前記収容部が前記上方部材の前記上面部の裏面に重合され、前記底面部と外装面との間に空間を形成すると共に前記底面部の内側端が凸状部に挟着するので、取付ボルトの下方への落下を防止して上方部材上に起立させることができ、該取付ボルトに締着ボルトを締め付けることで、一体化及び取付が実施されるので、従来の持出架台の取付作業のように略水平状に配されたボルトナットを締め付ける作業を必要としないため、作業が極めて容易である。
また、前記上方部材及び下方部材は、それぞれ簡易な形状であるため、極めて実用的価値が高い。
【００１３】
さらに、本発明の前記取付部材を用いた外設部材の取付構造は、各種の外設部材を、外装面に安定に配置させた前記取付部材に直接的に、或いは支持材を介して間接的に取り付けた構成であり、外装面を構成する外装材にて形成される凸状部に対し、太陽電池モジュール等を簡易な構造にて安定に取り付けることができる。
【図面の簡単な説明】
【００１４】
【図１】（ａ）本発明の第１実施例の取付部材を示す斜視図、（ｂ）それを屋根面に取り付けた外装構造を示す斜視図である。
【図２】（ａ）第１実施例の取付部材の正面図、（ｂ）その上面図、（ｃ）その底面図、（ｄ）その左側面図、（ｅ）その右側面図、（ｆ）第１実施例の取付部材を用いた外装構造を示す正面図である。
【図３】（ａ）第１実施例の取付部材に取付金具及び受け金具を取り付けた状態を示す斜視図、（ｂ）取付金具の斜視図、（ｃ）受け金具の斜視図、（ｄ）取付部材の斜視図である。
【図４】（ａ）第２実施例の取付部材の正面図、（ｂ）その上面図、（ｃ）その底面図、（ｄ）その左側面図、（ｅ）その右側面図、（ｆ）第１実施例の取付部材を用いた外装構造を示す正面図である。
【図５】（ａ）第３実施例の取付部材の正面図、（ｂ）その上面図、（ｃ）その底面図、（ｄ）その左側面図、（ｅ）その右側面図、（ｆ）第１実施例の取付部材を用いた外装構造を示す正面図である。
【図６】（ａ）第４実施例の取付部材の正面図、（ｂ）その上面図、（ｃ）その底面図、（ｄ）その左側面図、（ｅ）その右側面図、（ｆ）第１実施例の取付部材を用いた外装構造を示す正面図である。
【図７】（ａ）第５実施例の取付部材の正面図、（ｂ）その右側面図、（ｃ）第６実施例の取付部材の正面図、（ｄ）その右側面図、（ｅ）それに用いた取付接地材の断面図、平面図、側面図、（ｆ）第７実施例の取付部材の正面図である。
【図８】（ａ）比較例の取付部材の正面図、（ｂ）別の比較例の取付部材の正面図、（ｃ）（ｄ）別の比較例の取付部材の正面図、（ｅ）別の比較例の取付部材の正面図、（ｆ）別の比較例の取付部材の正面図、（ｇ）別の比較例の取付部材の正面図である。
【発明を実施するための形態】
【００１５】
本発明の取付部材は、外装面を構成する外装材にて形成される凸状部に固定するものであって、凸状部を挟んで略水平状に臨む左右一対の底面部（Ｉ）と、該底面部の締め付け手段（II）と、を備え、前記底面部には下方へ鉛直状に延在する脚部が設けられ、該脚部の下端が外装面との接地部であり、前記底面部に設けた脚部の下端である接地部が外装面に線接触状に接地し、前記締め付け手段を締め付けることにより、前記底面部の内側端（挟着部）を凸状部に挟着させる構成であり、後述する図示実施例のように、凸状部の上方及び左右の何れか一方に配する上方部材（Ａ）と、該上方部材と回動自在に枢着されて凸状部の他方に配される下方部材（Ｂ）と、該下方部材に保持されて前記上方部材を貫通する取付ボルト（Ｃ）と、該取付ボルトの先端に螺合される締着ナット（Ｄ）とからなる。
【００１６】
前記底面部（Ｉ）は、前述のように凸状部を挟んで略水平状に臨む左右一対の横片部分を指すものであり、左右の何れか一方に配する一方部材と、その他方に配する他方部材との両方に略水平状に臨む底面部を設け、該底面部の内側端を挟着部とする。また、この底面部には下方へ鉛直状に延在する脚部が設けられ、該脚部の下端が外装面との接地部であり、前記底面部に設けた脚部の下端である接地部が外装面に線接触状に接地する。
【００１７】
前記締め付け手段（II）は、前述のように前記底面部を左右から締め付けるための手段を指すものであり、前記底面部を形成する部材、即ち左右に配した部材を締め付けるものであれば、特にその構成を限定するものではない。
この締め付け手段としては、後述する図示実施例に示すように上方部材と下方部材とを一体化させると共に締め付ける縦向きボルトとそれを締め付ける締着ナットからなる。
【００１８】
前記底面部において外装面に線接触状に接地する部分である接地部は、前述のように前記底面部から下方へ鉛直状に延在（突出）する脚部の下端を指し、外装面に線接触状に載置するものである。即ちこの接地部としては、後述する図示実施例のようにアルミ押出型材等からなる硬質材料の場合には、突出片の下端面を断面略円弧状に形成してもよいし、弾性材料の成形体からなる軟質材料の場合には、その形状を限定するものではない。
また、この接地部は、底面部から鉛直状に延在（突出）する脚部の下端である。
なお、接地部としての突出片（脚部）の下端面が、同じ断面円弧状の曲面であった場合には、細肉の突出片の下端面より太肉の突出片の下端面である方が外装面との接触面積が広くなるため載置した際の安定性が高い。
また、前記突出片（脚部）の突出高さ調整ができるようにしてもよい。例えば後述する図示実施例（第５実施例）のように底面部に設けた孔に成形体を貫通させて取り付ける態様では、前記成形体として弾性材料を用いることにより突出高さを調整し、それにより外装面への座り安定性も向上でき、前述のように外装面との接触も面接触（線接触状）となる。同様にボルト材等を突出片として用いることにより、突出高さの調整に用いるようにしてもよい。
【００１９】
さらに、この接地部は、底面部を形成する左右の横片部分の下面側に突出片や隆状部分等をそれぞれ設けられるか、長さ方向に連続するものでも、断続的に連続するものでもよく、後述する図示実施例に示すように左右の横片部分の基端近傍にそれぞれ一条（一列）ずつ設けることが好ましいが、特にそれに限定するものではなく複数条（複数列）ずつ設けるようにしてもよい。例えば後述する図示実施例のように突出片を複数列設けて鋸歯状としても、先端を略円弧状に形成することにより、この構成の接地部も、外装面を傷つけることなく線接触状に載置され、仮に外装材を形成する金属板材の変形等が生じても確実且つ安定な配設が行われるものとなる。
【００２０】
なお、この本発明における「線接触状」とは、前述のように例えば硬質材料の鋭利な先端が外装面に接触している状態ではなく、前述の特許文献１のような広幅の面接触でもなく、細幅（＝数ｍｍ以下）の面接触状とも太幅（＝約１ｍｍ以上）の線接触状とも言えるものであり、経年の摩擦等が生じても金属板表面の防錆塗装等の表面処理を剥がさないものである。
前述のようにこの接地部は、硬質材料の先端を断面略円弧状に形成される曲面状先端としても、軟質材料の先端としても、外装面と線接触状に載置されるので、外装面を形成する金属面板が変形していても確実に接地するものとなる。
【００２１】
そして、本発明の取付部材は、前記底面部（Ｉ）が外装面に線接触状に接地し、前記締め付け手段（II）を締め付けることにより、前記底面部（Ｉ）の内側端を凸状部に挟着する構成である。
【００２２】
この取付部材としては、前述のように外装面に線接触状に接地する接地部を備える底面部（Ｉ）と、締め付け手段（II）と、を備えるものであれば、特にその構成を限定するものではなく、単一部材からなるものでも複数部材からなるものでもよい。
【００２３】
例えば後述する図示実施例では、凸状部の上方及び左右の何れか一方に配する上方部材（Ａ）と、該上方部材と回動自在に枢着されて凸状部の他方に配される下方部材（Ｂ）と、該下方部材に取り付けられて前記上方部材を貫通する取付ボルト（Ｃ）と、該取付ボルトの先端に螺合される締着ナット（Ｄ）とからなる構成とし、回動自在に枢着した上方部材と下方部材で左右一対の底面部（Ｉ）を形成し、取付ボルトに締着ナットを取り付けて締め付け手段（II）を形成し、前記底面部を形成する横片部分の下面に接地部を形成した。
【００２４】
そして、この取付部材では、回動自在に枢着した上方部材と下方部材で凸状部を左右から挟むように配設した状態で、取付ボルトに締着ナットを取り付けて締め付けることにより、取付部材を一体化することで、前記底面部の内側端（挟着部）を凸状部に挟着させて上方部材及び下方部材を凸状部に係止させ、取付ボルトを上方部材上に起立させることができる。
【００２５】
（Ａ）上方部材
前記上方部材は、前述のように凸状部の上方及び左右の何れか一方に配する部材である。詳しくは、この上方部材は、凸状部を覆う部分と、凸状部の一方側の基端に当接する部分、即ち底面部の内側端（挟着部）と、底面部（Ｉ）の一方の横片部分と、を有する構成であり、（Ｂ）下部部材との間には空間が形成され、該空間に凸状部を位置させるように配設する。底面部（Ｉ）を形成する横片部分には、下面に外装面に線接触状に接地する接地部が形成される。
また、この上方部材は、前述のように（Ｂ）下方部材とは回動自在に枢着されている構成である。詳しくは、上方部材か下方部材の何れかに凸状の枢支部が設けられ、他方には凹状の枢支受部が設けられて回動自在に枢着（嵌合）されている構成である。
さらに、この上方部材は、前述のように（Ｃ）取付ボルトが貫通するものであって、取付ボルトが貫通するための孔を備える構成である。この貫通孔が取付ボルトの径と略同一の場合には、貫通孔に対して対して取付ボルトが正対する方向しか許容されないため、上方部材と下方部材との回動も制御されてしまう。したがって、横長に貫通孔を形成することが望ましい。
なお、この上方部材は、頂部に支持面が形成されていることが望ましく、この支持面に外設部材や太陽電池パネルを安定に支持させることができる。
【００２６】
（Ｂ）下方部材
前記下方部材は、前述のように凸状部の左右の他方に配する部材であり、一方に配する上方部材と同様に凸状部の他方側の基端に当接する部分、即ち底面部の内側端（挟着部）と、底面部（Ｉ）の他方の横片部分を有する構成である。底面部（Ｉ）を形成する横片部分には、下面に外装面に線接触状に接地する接地部が形成される。
また、この下方部材には、前述のように（Ｃ）取付ボルトが取り付けられるが、取付ボルトの頭部を配する溝状又は凹状の収容部を設ける。この収容部を設けることで、容易に且つ安定に取付ボルトを下方部材に配設することができ、凸状部への取付作業においても取付ボルトが下方部材から脱離する事故を防ぐことができる。
【００２７】
（Ｃ）取付ボルト
この取付ボルトは、この取付部材における「取付部」を形成するものである。前述のように（Ｂ）下方部材に取り付けられ、（Ａ）上方部材を貫通するものであるから、上方部材と下方部材との連結部材としても作用する。この取付ボルト自体は、通常の六角ボルト等が利用される。
【００２８】
（Ｄ）締着ナット
この締着ナットは、上方から前記（Ｃ）取付ボルトに締め付けることにより、（Ａ）上方部材と（Ｂ）下方部材を一体的に固定すると共に、各部材に設けた挟着部を凸状部の基端の左右に配置させるので、上方部材及び下方部材を凸状部に係止させ、取付ボルトを上方部材上に起立させる作用を果たす。この締着ナット自体は、通常の六角ナット等が利用される。したがって、前記（Ｃ）取付ボルトとこの（Ｄ）締着ナットとで締め付け手段（II）が形成される。
【００２９】
これらの取付部材を構成する（Ａ）〜（Ｄ）の部材のうち、回動自在に枢着されている（Ａ）上方部材及び（Ｂ）下方部材は、特にその形状を限定するものではないが、前述のように凸状部を位置させる空間を形成するものであって、後述する図示実施例のように断面略筺状に形成されることが望ましい。
断面を略筺状に形成するためには、例えば一方を右、他方を左とすると、回動軸（枢支部及び枢支受部）は上面左端に位置させ、上方部材は上面と右側面と底面右側を形成し、下方部材は左側面と底面左側を形成すればよい。なお、このような構成は、後述する図示実施例の第１実施例に相当する最も簡易な構成を示したものであり、前述の構成並びに作用、効果を損なわない限り、どのような構成を採用してもよい。
【００３０】
本発明の取付部材の取り付け対象である凸状部は、外装面を構成する外装材にて形成されるものであって、山状部分と谷状部分とが連続する構成の外装面であれば、山状部分を指し、新築でも既設でもよい。また、後述する図示実施例に示すように山状部分である突状部の頂部に、外装材の側縁を略垂直状に立ち上げてカシメて凸部を形成したものでも、その外側にキャップ状のカバー材を配したものでも、一方の側縁に他方の側縁を重合させて形成したものでもよく、特にその構成を限定するものではない。
【００３１】
また、本発明は、前記構成の取付部材を用いた外設部材の取付構造をも提案するものであり、外装面を構成する外装材にて形成される凸状部に、前記構成の取付部材を固定し、該取付部材に直接的に外設部材を、或いは支持材を介して間接的に外設部材を取り付けたものである。
【００３２】
前記外設部材としては、太陽電池パネルや緑化パネル（構造）、或いは新設の屋根材（構造）等の屋根面の大きな面積を占めるものであっても、雪止め金具や避雷針、アンテナ等の部分的に設けるものであってもよい。また、太陽電池パネルにおいても、太陽電池モジュールの周縁にフレーム材を配したものも、太陽電池を外装材に一体的に設けたものであってもよくその構成は特に問わない。
【００３３】
外設部材を支持する支持材としては、前記取付部材の取付ボルトに直接的に取り付けてもよいし、補助部材を介して間接的に取り付けてもよい。
この支持材は、特にその形状や構成等を限定するものではないが、桁行き方向に連続する逆Ｕ字状の長尺材（横桟材）又は定尺材でもよいし、流れ方向に連続する長尺材（縦桟材）又は定尺材でもよい。
【実施例】
【００３４】
図１（ａ）及び図２（ａ）〜（ｅ）に示す本発明の取付部材１の第１実施例は、凸状部５１の上方及び左右の何れか一方（＝右方）に配する上方部材２と、該上方部材２と回動自在に枢着されて凸状部５１の他方（＝左方）に配される下方部材３と、該下方部材３に取り付けられて前記上方部材２を貫通する取付ボルト１Ｂと取付ボルト１Ｂと締着ナット１Ｃと、該取付ボルト１Ｂの先端に螺合される締着ナット１Ｃとからなる。これらの取付ボルト１Ｂと締着ナット１Ｃとが締め付け手段を構成する。
また、前記上方部材２と前記下方部材３とは、組み合わせ状態が断面略筺状になるように形成され、凸状部５１を挟んで略水平状に臨む左右一対の横片部分である底面部２３，３２を有し、内部に空間１０が形成される。
さらに、前記底面部２３，３２の下面には、下方へ突出（脚部２３１Ｌ，３２１Ｌ）し、先端が断面略円弧状に形成される接地部２３１，３２１がそれぞれ長さ方向に連続するように設けられている。
【００３５】
前記上方部材２は、前述のように凸状部５１の上方及び右方に配する部材であり、図示するように凸状部５１を囲う筺状部分の上面に相当する横片２１と、右側面に相当する縦片２２と、底面右側に相当する横片である底面部２３とを形成する略つ字状のアルミ押出材である。前記横片２１には、取付ボルト１Ｂが貫通する横長の孔２１１が設けられている。そして、下方部材３と回動自在に枢着するための軸部１５を形成する凹状の枢支受部２４は、上面左端（横片２１の左端）に位置し、凸状部５１に当接する底面部２３の内側端（先端）が挟着部２５である。
なお、この上方部材２には、前記横片２１の一方（図面右方）に略水平状に延在する取付横片２６と、その略中央を傾斜状に折り上げた取付傾斜片２７が設けられている。前記取付横片２６は、先端２６１が係止突部であって、前端付近及び後端付近にそれぞれ孔２６２が設けられている。また、前記取付傾斜片２７は、中央上端が切り欠かれた板状であって、該切り欠かれ部分を切欠部２７１とする。
【００３６】
前記下方部材３は、前述のように凸状部５１の左方に配する部材であり、図示するように左側面に相当する縦片３１と、底面左側に相当する横片である底面部３２とを形成する略Ｌ字状のアルミ押出材である。そして、取付ボルト１Ｂの頭部が嵌着される凹状の収容部３３が略中央、即ち前記上面（横片２１）の裏面側に形成され、上方部材２と回動自在に枢着するための軸部１５を形成する凸状の枢支部３４は、左側面上端（縦片３１の上端）に位置し、凸状部５１に当接する底面部３２の内側端（先端）が挟着部３５である。
【００３７】
前記取付ボルト１Ｂは、図示するように下端に頭部１６が位置し、上方に雄ネジ部分１７が位置する六角ボルトである。
また、前記締着ナット１Ｃは、六角ナットである。
【００３８】
そして、これらの部材を図示ずるように一体的に組み合わせるのであるが、上方部材２と下方部材３とは回転自在に枢着されて軸部１５を形成し、下方部材３の収容部３３にその頭部１６を取り付けられた取付ボルト１Ｂの雄ネジ部分１７の先端は、上方部材２に設けた孔２１１を貫通して上方に突出するように組み合わせる。
なお、締着ナット１Ｃは、それを締め付ける作業まで取り外した状態としておくようにしてもよいし、取付ボルト１Ｂの雄ネジ部分１７の先端に緩く取り付けておくようにしてもよい。
【００３９】
なお、図１（ｂ）及び図２（ｆ）に示した外装面（外装材）５上に形成される凸状部５１は、山状部分と谷状部分とが連続する構成の外装面５において、山状部分の頂部に形成されたものであり、図示しないタイトフレーム上に固定された吊子（図示せず）の起立片に、左右の外装材５，５の側縁部５２，５２の端部を略垂直状に立ち上げて重合状に沿わせ、カシメて形成したものである。
【００４０】
そして、図１（ｂ）及び図２（ｆ）の外装構造を施工するには、以下の第１〜第３の工程を実施すればよい。
まず、第１の工程として、上方部材２と下方部材３と取付ボルト１Ｂとを予め緩く一体的に組み合わせた状態で、上方部材２と下方部材３で形成される空間１０に位置させるように凸状部５１に配置する。
上方部材２及び下方部材３は、回動自在に枢着されているので、上方部材２を凸状部５１の右側に配設し、底面部２３の内側端である挟着部２５を凸状部５１の立ち上がり基部に沿わせ、下方部材３を凸状部５１の左側に配設し、底面部３２の内側端である挟着部３５を凸状部５１の立ち上がり基部に沿わせ、左右から挟むように配設する。
【００４１】
次に、第２の工程として、前記取付ボルト１Ｂに締着ナット１Ｃを取り付けて上方から工具等で締め付ける。この締め付けにより、取付ボルト１Ｂを引っ張り上げる作用が働き、上方部材２と下方部材３とが一体的に固定する。この状態では、左右一対の底面部２３，３２が凸状部５１の立ち上がり基部を右左から挟む状態となり、該底面部２３，３２の内側端である挟着部２５，３５が挟着する状態となるため、上方部材２及び下方部材３が凸状部５１に係止状に取り付けられ、取付ボルト１Ｂが上方部材２上に起立し、前記底面部２３，３２から下方へ突出する接地部２３１，３２１が外装面５に線接触状に載置されるように取り付けられる。
【００４２】
その後、第３の工程として、固定した取付部材１の取付ボルト１Ｂの雄ネジ部分１７の先端に、直接的に外設部材を、或いは支持材を介して間接的に外設部材を取り付け、固定した取付ボルト１Ｂにナットを取り付けて固定すればよい。
このように第３の工程では、取付ボルト１Ｂの先端に、直接的に或いは間接的に太陽電池パネル等の外設部材を取り付けて固定すればよい。
【００４３】
このように施工される本発明の取付部材１は、外装面５に載置される底面部２３，３２に外装面に線接触状に接地する接地部２３１，３２１が断面略円弧状に形成されているので、外装面５との接触が細幅（＝数ｍｍ以下）の面接触状とも太幅（＝約１ｍｍ以上）の線接触状とも言える線接触状となるため、仮に外装面（外装材）５を形成する金属板材の変形等が生じても確実且つ安定な配設が行われるものとなる。また、接地部２３１，３２１により、底面部２３，３２の横片部分と外装面５とは面接触することがないため、経年の摩擦等によっても外装材５を形成する金属板表面の防錆塗装等の処理が剥がされることがなく、サビや腐食の原因となることがない。なお、底面部２３，３２の横片部分と外装面５との間に形成される空間４は、雨水（水分）を保持するものではないため、サビ等の原因とならない。
【００４４】
また、この第１実施例では、凸状部５１の上方及び右方に配する上方部材２と、該上方部材２と回動自在に枢着されて凸状部５１の左方に配される下方部材３と、該下方部材３に取り付けられて前記上方部材２を貫通する取付ボルト１Ｃと、該取付ボルト１Ｃの先端に螺合される締着ナット１Ｂと、からなり、回動自在に枢着した上方部材２と下方部材３で凸状部５１を左右から挟む挟着部２３１，３２１を形成し、取付ボルト１Ｃに締着ナット１Ｂを取り付けて締め付け手段を形成したので、この取付部材１を取り付けて一体化させることで、上方部材２及び下方部材３を凸状部５１に係止させ、取付ボルト１Ｂを上方部材２上に起立させることができる。
【００４５】
また、前述のように前記上方部材２には、略水平状の取付横片２６と傾斜状の取付傾斜片２７とを設けたので、図３（ｂ）に示す取付金具６Ａ、図３（ｃ）に示す受け金具６Ｂを容易に取り付けることができ、図３（ａ）に示すように太陽電池パネル７のケーブル（図示せず）を収容する樋状金具（図示せず）を受けるようにすることができる。
【００４６】
前記取付金具６Ａは、前記切欠部２７１の横幅とほぼ等しくやや狭い短冊状の金属材等を折曲成形して作成される部材である。そして、断面７字状に形成される上方部分６１の下方には、下方外側へ延在して略垂下状に下方へ延在する下方部分６２が設けられ、その下端を内側へ折曲すると共に先端を断面円弧状に形成した横片部分６３とが設けられている。また、前記上方部分６１には下方が開放する嵌合溝６１１と内側上方へ突出する突起６１２とが設けられる。なお、内側、外側とは、取り付ける取付部材１に向かう方向を内側とし、その逆を外側とした。
また、前記受け金具６Ｂは、前端及び後端が下方へ折曲された断面逆皿状の短冊材等を折曲して作成される部材であって、前記取付金具６Ａより広幅に形成される。そして、左右方向に略水平状に形成される中央部６５の内側及び外側を上方へ折り曲げ、内側の折り曲げ部分を抱持部６６とした。これらの中央部６５や抱持部６６には、それぞれ円状（６５１，６６１）、細孔（６５２，６６２）が形成されている。
【００４７】
そして、前記取付部材１に前記取付金具６Ａを取り付けるには、前記取付傾斜片２７に設けた切欠部２７１に、前記取付金具６Ａの嵌合溝６１１を上方から掛けるように嵌合させ、突起６１２の下端を取付横片２６の係止突部２６１に嵌まり込むように係合（嵌合）させる。即ち嵌合溝６１１を上顎とすると、突起６１２が下顎となり、上下から取付傾斜片２７を噛むように取り付けることができる。なお、この状態で取付金具６Ａには自重やそれに作用する正荷重により、外側への傾倒は防止されるが、嵌合溝６１１に遊び（深さの余裕）を設けているため、取付金具６Ａを上方へ持ち上げることにより、突起６１２を外してこの取付金具６Ａを容易に取り外すことができる。
【００４８】
次に、前記取付金具６Ａに対し、前記受け金具６Ｂを固定するが、この作業は取付金具６Ａの取付以前に行っても、後から行うようにしてもよい。
前述のように前記受け金具６Ｂは、断面逆皿状に形成されているため、前記取付金具６Ａの縦片６２に対し、抱持部６６が包持するように沿わせ、側方からボルト６ｃ及びナット６ｄを取り付けて一体化すればよい。なお、ボルト６ｃは抱持部６６に設けた円孔６６１を挿通させて取り付ける。
【００４９】
図４（ａ）〜（ｅ）に示す本発明の第２実施例の取付部材１2は、左右一対の横片部分である底面部２３，３２の下面に、下方へ長く突出し、先端が断面略円弧状に形成される接地部２３２，３２２が設けられている上方部材２2、下方部材３2からなる以外は、前記第１実施例と全く同様であるから、図面に同一符号を付して説明を省略する。
即ちこの第２実施例では、底面部２３，３２の下面の接地部２３２，３２２を足長（脚部２３２Ｌ，３２２Ｌ）に形成しているが、図４（ｆ）に示すようにその凸状部５１2が首長に形成される外装面（外装材）５2に好適に適応するものであり、底面部２３，３２と外装面５2との間に前記第１実施例における空間４よりも大きな空間４2を形成するものである。
【００５０】
図５（ａ）〜（ｅ）に示す本発明の第３実施例の取付部材１3は、上方部材２3に設けられる取付横片２６及び取付傾斜片２７に代えて下向き傾斜片２８及び上向き傾斜片２９を設けた構成である以外は、前記第１実施例と全く同様であるから、図面に同一符号を付して説明を省略する（接地部２３３，３２３、脚部２３３Ｌ，３２３Ｌ）。
即ちこの第３実施例では、図５（ｆ）に示す外装構造には記載していないが、下向き傾斜片２８に設けた孔２８１を太陽電池パネル７のケーブル等を取り付ける箇所として用いてもよいし、上向き傾斜片２９自体を取付箇所として用いてもよい。
【００５１】
図６（ａ）〜（ｅ）に示す本発明の第４実施例の取付部材１4は、底面部２３，３２の下面から下方へ突出（脚部２３４Ｌ，３２４Ｌ）し、先端が断面略円弧状に形成されている接地部２３４，３２４を中央寄りに形成している以外は、前記第１実施例と全く同様であるから、図面に同一符号を付して説明を省略する。
即ちこの第４実施例では、図６（ｆ）に示す外装構造でも前記底面部１２，３２が外装面に線接触状に載置される点では同様であり、底面部２３，３２と外装面５4との間に前記第１実施例における空間４よりも小さな空間４4を形成するものである。
【００５２】
図７（ａ）、（ｂ）に示す本発明の第５実施例の取付部材１5は、その上方部材２3及び下方部材３5に設けた左右一対の底面部２３5，３２5にそれぞれ取付用の円孔を２箇所に設け、該円孔にそれぞれピン状取付材６Ａを取り付け、その下端を底面部２３5，３２5の下面から突出させて接地部６１としている。
この第５実施例に用いられたピン状取付材６Ａは弾性成形体からなり、上端及び下端（接地部６１）が前記円孔より太径に形成され、弾性に抗して圧縮させて押し込むように取り付けることにより安定に取り付けられ、弾性成形体からなるため、金属板表面の防錆塗装等の処理が剥がされることがなく、サビや腐食の原因となることがない。また、合計４箇所に形成される接地部６１の形状は略円柱状ではあるが、弾性を有するため、突出高さを調整して外装面への座り安定性を向上でき、前記第１〜第４実施例と同様に外装面と線接触状に載置され、仮に外装材を形成する金属板材の変形等が生じても確実且つ安定な配設が行われるものとなる。
【００５３】
図７（ｃ）〜（ｅ）に示す本発明の第６実施例の取付部材１6は、その上方部材２6及び下方部材３6に設けた左右一対の底面部２３6，３２6にそれぞれベルト状取付材６Ｂを取り付け、片面３箇所に設けた断面略円弧状の下方へ凸状となる部分を接地部６２としている。
この第６実施例に用いられたベルト状取付材６Ｂも前記ピン状取付材６Ａと同様に弾性成形体からなり、それぞれ底面部２３6，３２6の周囲を覆うように取り付けられ、上面側にも下面側にもそれぞれ３箇所に凸状部分が設けられ、下端の凸状部分が接地部６２となる。この接地部６２は、弾性成形体からなるため、金属板表面の防錆塗装等の処理が剥がされることがなく、サビや腐食の原因となることがない。また、合計６箇所に形成される接地部６２は弾性を有するため、前記第１〜第５実施例と同様に外装面と線接触状に載置され、仮に外装材を形成する金属板材の変形等が生じても確実且つ安定な配設が行われるものとなる。
【００５４】
図７（ｆ）に示す本発明の第７実施例の取付部材１7は、その上方部材２7及び下方部材３7に設けた左右一対の底面部２３7，３２7には、下方へ突出し、先端が断面略円弧状に形成される接地部２３７，３２７がそれぞれ長さ方向に連続状に設けられているが、前記第１実施例における接地部２３１，３２１に比べてそれぞれ太肉に形成されている。
そのため、この第７実施例の方が、突出片が細い前記第１実施例に比べて外装面に載置する際の座り安定性が高い。
【００５５】
図８（ａ）に示す取付部材１ａは、その上方部材２ａ及び下方部材３ａに設けた左右一対の底面部２３a，３２aに、それぞれ外側下方（斜め方向）へ突出し、先端が断面略円弧状に形成される接地部２３ａ，３２ａが長さ方向に連続状に設けられている。
そのため、この実施例の方が、突出片が略垂直状に形成される第１実施例に比べて外装面に載置する際の座り安定性が高い。
【００５６】
図８（ｂ）に示す取付部材１ｂは、その上方部材２ｂ及び下方部材３ｂに設けた左右一対の底面部２３b，３２bのそれぞれ２箇所に垂下状に下方へ突出し、先端が断面略円弧状に形成される接地部２３ｂ，３２ｂが長さ方向に連続状に設けられている。
そのため、この実施例の方が、接地部２３ｂ，３２ｂから１箇所ずつ突出片が形成される第１実施例に比べて外装面に載置する際の座り安定性が高い。
【００５７】
図８（ｃ）に示す取付部材１ｃは、その上方部材２ｃび下方部材３ｃに設けた左右一対の底面部２３c，３２cが、それぞれ外方に向かって緩く厚肉となる形状であって、突出片は設けられないが、最も厚肉の部分付近を接地部２３ｃ，３２ｃとしている。
図８（ｄ）に示す取付部材１ｄも、その上方部材２ｄ及び下方部材３ｄに設けた左右一対の底面部２３d，３２dが、それぞれ外方に向かって緩く厚肉となる形状であって、突出片は設けられないが、最も厚肉の部分付近の下面側に先端が断面略円弧状に形成される接地部２３ｄ，３２ｄが長さ方向に連続状に設けられている。
図８（ｅ）に示す取付部材１ｅは、その上方部材２ｅ及び下方部材３ｅの側面部分及び下面部分が曲面状の造形体であって、突出片は設けられないが、左右一対の底面部２３e，３２eが、それぞれ外方に向かって急激に厚肉となる形状であり、最も厚肉の最外側付近を接地部２３ｅ，３２ｅとしている。
図８（ｆ）に示す取付部材１ｆは、その上方部材２ｆ及び下方部材３ｆに設けた左右一対の底面部２３f，３２fに、それぞれ下方へ瘤状に突出し、突出片は設けられないが、先端（下端面）が断面略円弧状に形成される接地部２３ｆ，３２ｆが長さ方向に連続状に設けられている。
そのため、これらの実施例の方が、突出片が形成される第１実施例に比べて外装面に載置する際の座り安定性が高い。
【００５８】
図８（ｇ）に示す取付部材１ｇは、その上方部材２ｆ及び下方部材３ｆに設けた左右一対の底面部２３g，３２gに、それぞれ下方へ略鋸歯状に突出し、先端が断面略円弧状に形成される接地部２３ｇ，３２ｇが長さ方向に連続状に設けられている。この略鋸歯状の下端に設けられる接地部２３ｇ，３２ｇも先端（下端）を略円弧状に形成しているので、外装面を傷つけることなく、安定に線接触状に載置される。
そして、これらの接地部２３ａ〜２３ｆ，３２ａ〜ｆも、前記第１〜第７実施例と同様に外装面に線接触状に載置され、仮に外装材を形成する金属板材の変形等が生じても確実且つ安定な配設が行われるものとなる。
【符号の説明】
【００５９】
１  取付部材
１０  空間
１５  軸部
１６  頭部
１７  雄ネジ部分
１Ｂ  取付ボルト
１Ｃ  締着ナット
２  上方部材
２３  底面部
２３１Ｌ〜２３４Ｌ  脚部
２３１〜２３４  接地部
２４  枢支受部
２５  挟着部
３  下方部材
３２  底面部
３２１Ｌ〜３２４Ｌ  脚部
３２１〜３２４  接地部
３３  収容部
３４  枢支部
３５  挟着部
５  外装面（外装材）
５１  凸状部
５２  側縁部
【図１】
0006782065.tif 000002
【図２】
0006782065.tif 000003
【図３】
0006782065.tif 000004
【図４】
0006782065.tif 000005
【図５】
0006782065.tif 000006
【図６】
0006782065.tif 000007
【図７】
0006782065.tif 000008
【図８】
0006782065.tif 000009